(57)【要約】【課題】被支持体が手押し車等の可動装置への取り付け角度を設定することができるとともに調整でき、ユーザーからの被支持体の角度に対する異なる求めを満たすことができる。【解決手段】本発明は支持構造を開示した。該支持構造は、支持体と、ストッパーと、固定軸とを備え、ストッパーが支持体における対向する両端に設けられ、かつ固定軸と同一の軸線にあり、固定軸が周方向にストッパーに合わせる円弧状の切り欠きを設け、ストッパーが円弧状の切り欠きに沿って固定軸の周りに回動できる。本発明は、さらに当該支持構造を用いるマルチメディアプレーヤーと、当該プレーヤーを用いる可動装置とを開示した。【選択図】図１
2017500497.tif 000002
【特許請求の範囲】
【請求項１】
支持体と、ストッパーと、固定軸と、を備える支持構造であって、
前記ストッパーが前記支持体の対向する両端に設けられ、かつ固定軸と同一の軸線に設けられ、
前記固定軸が周方向に前記ストッパーに合わせる円弧状の切り欠きを設け、
前記ストッパーが前記円弧状の切り欠きに沿って前記固定軸の周りに回動できることを特徴とする支持構造。
【請求項２】
前記ストッパーは、ストッパー本体と、前記ストッパー本体の内壁に設けられるストッパー突起とを備えることを特徴とする請求項１に記載の支持構造。
【請求項３】
前記ストッパー本体は、Ｕ字状となることを特徴とする請求項２に記載の支持構造。
【請求項４】
前記固定軸は、固定軸本体と、固定軸本体とＴ字状に接続される軸部とを備え、
前記円弧状の切り欠きが、前記軸部における、前記固定軸本体と接続される一端部に設けられることを特徴とする請求項３に記載の支持構造。
【請求項５】
前記固定軸本体と前記軸部は中空構造となることを特徴とする請求項４に記載の支持構造。
【請求項６】
前記円弧状の切り欠きの中心角は鋭角となることを特徴とする請求項１に記載の支持構造。
【請求項７】
前記軸部の外径は、前記ストッパー本体の底の円弧部分の内径より小さいことを特徴とする請求項５に記載の支持構造。
【請求項８】
前記支持体に支持板が設けられ、前記支持板の一端部が前記固定軸の内部に插入されることを特徴とする請求項５に記載の支持構造。
【請求項９】
プレーヤー本体と、請求項１〜８のいずれかに記載の支持構造とを備え、
前記プレーヤー本体がマルチメディアプレーヤーを備え、前記プレーヤー本体が前記支持体内に設けられることを特徴とするプレーヤー。
【請求項１０】
可動装置本体と、請求項９に記載のプレーヤーとを備え、
前記プレーヤーの支持構造の固定軸が前記可動装置本体に設けられることを特徴とする可動装置。
【発明の詳細な説明】
【技術分野】
【０００１】
本発明は、支持構造に関し、特に、角度を調整できる支持構造、その支持構造を用いるプレーヤー、及び該プレーヤーを用いる可動装置に関するものである。
【背景技術】
【０００２】
社会の発展と国民の生活水準の向上に伴い、航空旅行はすでに普通の民衆が外出する時の選択となった。旅行者に対して空港の面積が広すぎ、搭乗口を見つける前に絶えず道を尋ねなければならない恐れが存在するため、旅行者に放送・ガイドできるマルチメディアプレーヤー付きの手押し車が機運に乗じて生まれた。ユーザーの便利さのため、そのタイプの手押し車にマルチメディアプレーヤーが取り付けられることが普通である。しかしながら、手押し車の使用中に、例えば、一部の旅行者が一時の便利のため仮にプレーヤーをテーブルとして、飲み物や食品をそのディスプレーの表面に置くこと、又は、一部の旅行者がプレーヤーをチャイルドシートとして、子供をプレーヤーに座らせるというような、様々の問題も生じてきた。なお、フレーム全体としての組み立てプロセスと技術がまだ整っていないせいで、フレームの内部に応力が生じやすい。その応力が長期に存在するため、プレーヤー全体の構造が壊れる恐れがある。そういう現象は手押し車プレーヤーを壊れやすくし、かつ安全の面から見るとリスックもある。
【発明の概要】
【発明が解決しようとする課題】
【０００３】
本発明の目的は、被支持体の角度を調整できる支持構造を提供することである。
【課題を解決するための手段】
【０００４】
本発明は、一の側面において、支持体と、ストッパーと、固定軸と、を備え、ストッパーが支持体における対向する両端に設けられ、かつ固定軸と同一の軸線に設けられ、固定軸に、その周方向にストッパーに合わせる円弧状の切り欠きを設け、ストッパーが前記円弧状の切り欠きに沿って前記固定軸の周りに回動できることを特徴とする支持構造を提供する。ストッパーが円弧状の切り欠きに沿って固定軸の周りに回動することに連れて、支持体に設けられる被支持体が固定軸の周りに回動させられるため、被支持体が手押し車等の可動装置への取り付け角度を設定できるとともに調整でき、ユーザーからの被支持体の角度に対する異なる求めを満たすことができる。
【０００５】
ストッパーは、ストッパー本体と、ストッパー本体の内壁に設けられたストッパー突起とを備える。ストッパー本体は、ストッパーを固定軸に沿って安定に回動させるように、固定軸に嵌合する。
【０００６】
ストッパー本体はＵ字状となってもいい。Ｕ字状ストッパー本体がストッパーを便宜に固定軸の周りに回転させることができるとともに、Ｕ字状ストッパー本体の底が外からの雑物が円弧状の切り欠きに入ることを防いで、雑物が円弧状の切り欠きに入ることによりストッパーが固定軸に沿って回動できなくなることを効果的に防ぐ。
【０００７】
固定軸は、固定軸本体と、固定軸本体とＴ字状に接続される軸部とを備え、円弧状の切り欠きが、軸部における、固定軸本体と接続される一端部に設けられる。これにより、ストッパーを固定軸に嵌合した後に全体となって、安定に回動させて、支持構造全体の強度を向上させる。
【０００８】
固定軸本体と前記軸部は中空構造となってもいい。これにより、支持構造の重量を低減させて、製作用の材料を節約する効果を得ることができる。
【０００９】
円弧状の切り欠きの中心角は鋭角となってもいい。これにより、支持構造は被支持体に取り付けられた後に、被支持体が移動軸の周りに回動する角度範囲が鋭角となって、よりよく様々なユーザーからの被支持体の角度に対する求めに適応することができる。
【００１０】
軸部の外径はストッパー本体の底の円弧部分の内径より小さくてもいい。そうすると、ストッパーが固定軸の周りに回転する時に互いの間の摩耗を低減させることができ、ストッパーが固定軸の回りに回転することをさらに省力させることができる。
【００１１】
支持体に支持板が設けられ、支持板の一端部が固定軸の内部に插入される。支持体が可動装置へ取り付けられた後に、可動装置の内部に生じた応力により被支持体の内部構造が壊れることを防ぎ、被支持体の強度を向上させて、被支持体を保護することができるとともに、可動装置が応力による変形することを防ぐ機能を発揮できる。
【００１２】
本発明は、別の側面において、プレーヤー本体と、前記支持構造とを備え、プレーヤー本体がマルチメディアプレーヤーを備え、プレーヤー本体が支持体内に設けられることを特徴とするプレーヤーを提供する。これにより、プレーヤー本体をストッパーに伴って固定軸の周りに回動させて、ユーザーからのプレーヤー本体の角度に対する異なる求めを満たすことができる。
【００１３】
本発明は、別の側面において、可動装置本体と前記プレーヤーとを備え、プレーヤーの支持構造の固定軸が可動装置本体に設けられることを特徴する可動装置を提供する。プレーヤーを固定軸の周りに回動させることができて、プレーヤーが水平に設置されるしかできない場合にユーザーの不当使用によるプレーヤーが壊れることを防ぐと共に、ユーザーからのプレーヤーの角度に対する異なる求めを満たすことができる。
【図面の簡単な説明】
【００１４】
【図１】本発明の一実施形態の支持構造の模式図である。
【図２】図１に示す支持構造の裏面構造の模式図である。
【図３】図１に示す支持構造の支持体とストッパーの構造の模式図である。
【図４】図３のA矢視図である。
【図５】図１に示す支持構造の固定軸構造の模式図である。
【図６】本発明の一実施形態のプレーヤーの模式図である。
【図７】図６のB矢視図である。
【図８】本発明の一実施形態の可動装置の模式図である。
【発明を実施するための形態】
【００１５】
以下、本発明について図面を参照して説明する。
【００１６】
（実施例１）
図１〜図５は本発明の一実施形態による支持構造を示す模式的な説明図である。図１に示すように、当該支持構造はストッパー１と、固定軸２と、支持体３とを備える。
【００１７】
図２に示すように、支持体３は長方形状の枠である。支持体３の左、右の両方ともに支持板３１が設けられる。支持板３１はＬ字状となって、一端部が支持体３に固着され、他端部が支持体３の側板における溝３２を介して支持体３の側板を通す。構造を便宜的に示すために、左側の支持板３１を図示しない。
【００１８】
図３及び図４に示すように、ストッパー１はストッパー本体１１及びストッパー突起１２を備える。ストッパー本体１１はＵ字状となって、ストッパー本体１１の内壁の底部にストッパー突起１２が設けられる。二つのストッパー１は、それぞれ支持体３における対向する両方の辺に設けられる。即ち、ストッパー１のストッパー本体１１は支持体３の左右の二つの側板に固着される。そして、二つのストッパー１が同一の軸線にある。
【００１９】
図５に示すように、固定軸２は固定軸本体２１及び軸部２２を備える。固定軸本体２１は軸部２２と一体に接続され、固定軸２の縦断面がＴ字状となる。固定軸本体２１及び軸部２２はともに中空円柱体で、中空構造となる。軸部２２には固定軸本体２１と接続される一端部に、周方向に沿って円弧状の切り欠き２３が設けられる。円弧状の切り欠き２３は、ストッパー１を円弧状の切り欠き２３に沿って固定軸２の周りに回動させることができるように、ストッパー突起１２の形及び大きさに合わせる。また、軸部２２の外径は、製品の摩耗を低減させ、かつストッパー１を固定軸２の周りに回転させることがさらに省力なるように、Ｕ字状ストッパー本体１１の底の円弧部の内径より０.５mmの程度やや小さいものとなる。円弧状の切り欠き２３の中心角は鋭角となって、ストッパー１の固定軸２の周りに回動する角度の範囲が０°〜９０°となる。例えば、図２に示した円弧状の切り欠き２３の中心角は６０°となって、ストッパー１の固定軸２の周りに回動する角度範囲が６０°となる。便利に取り付けられるために、円弧状の切り欠き２３から軸部２２における固定軸本体２１と接続されない一端部にかけて開口２４が設けられる。固定軸２は可動装置に設けられ、ストッパー１は固定軸２と同一の軸線に設けられる。
【００２０】
ストッパー１は、固定軸２がストッパー１に嵌合する時に、支持板３１の一端部が固定軸２内部の中空部に插入されるように、溝３２の位置に合わせる。
【００２１】
本発明は、図６及び図７に示すように、さらに前述支持構造、プレーヤー本体４及びケーシング５を備えるプレーヤーを提供する。プレーヤー本体４は普通のマルチメディアプレーヤーを備える被支持体である。プレーヤー本体４は支持構造の支持体３内に設けられる。ケーシング５は支持構造の外を囲んで設けられる。ケーシング５におけるストッパー１に対応する位置に、ストッパー１を収容して固定軸２への取り付けを許容するように、穴が設けられる。
【００２２】
本発明は、さらに可動装置本体と、前述プレーヤーとを備える可動装置を提供し、プレーヤーの支持構造の固定軸が可動装置本体に設けられる。以下の実施形態の説明において、よく説明を理解されるために、可動装置として手押し車の例を挙げるが、当業者は、本発明の実施形態がいかなる手押し車と類似する可動装置に適用されることが理解できる。
【００２３】
手押し車は、図８に示すように、手押し車本体４１と、前述プレーヤーとを備える。プレーヤーは手押し車本体４１における左右の二つのフレームの間に取り付けられて、プレーヤーの両方の二つの固定軸２の固定軸本体２１が溶接等によって手押し車本体４１の左、右の二つのフレームに固着される。そして、プレーヤーのストッパー１は、プレーヤー本体３を固定軸２の周りに回動させることができるように、固定軸２と同一の軸線にある。
【００２４】
本発明のいくつかの実施形態に関する上述の説明及び実例は一例であり、本発明は示された又は説明された詳細そのものに限定されない。利用可能な技術的手段を用いる当業者によってなされる、上記開示に対する如何なる均等な変形も、本発明の保護範囲に属する。
【符号の説明】
【００２５】
１  ストッパー
１１  ストッパー本体
１２  ストッパー突起
２  固定軸
２１  固定軸本体
２２  軸部
２３  円弧状の切り欠き
２４  開口
３  支持体
３１  支持板
３２  溝
４  プレーヤー本体
４１  手押し車本体
５  ケーシング
【図１】
2017500497.tif 000003
【図２】
2017500497.tif 000004
【図３】
2017500497.tif 000005
【図４】
2017500497.tif 000006
【図５】
2017500497.tif 000007
【図６】
2017500497.tif 000008
【図７】
2017500497.tif 000009
【図８】
2017500497.tif 000010
【国際調査報告】
2017500497.tif 000011
2017500497.tif 000012
2017500497.tif 000013
2017500497.tif 000014